(57)【要約】【課題】  これまでにない新規な時計バンド収納ケースを提供することにある。【解決手段】  時計バンド収納ケース（収納ケース）１０は、時計バンド７０を収納する矩形状のケース本体１１からなり、そのケース本体１１の正面部１２の少なくとも一方の側端縁１３から張り出す張出片２０を備える。その張出片２０は、文字やイラストなどを記載することで、看板スペースとして利用できる。そして、張出片２０はケース本体１１の側面部１５に折り畳み可能となっている。【選択図】  図１
0003102609.tif 000002
【実用新案登録請求の範囲】
【請求項１】
時計バンドを収納する時計バンド収納ケースであって、
矩形状のケース本体と、
そのケース本体正面部の少なくとも一方の側端縁から張り出す張出片とを備え、
その張出片がケース本体の側面部に折り畳み可能であることを特徴とする時計バンド収納ケース。
【請求項２】
ケース本体内部の下方に仕切片を設け、
その仕切片とケース本体底面部とで仕切られた小スペースを形成したことを特徴とする請求項１記載の時計バンド収納ケース。
【請求項３】
時計バンドを支持するため、ケース本体内部に板状の中敷き部材を備え、
その中敷き部材は、少なくとも一方の側端が略Ｖ字形又は略Ｕ字形に折曲されたことを特徴とする請求項１又は２記載の時計バンド収納ケース。
【請求項４】
中敷き部材は、平坦な中央部分に横Ｌ字形に突出するよう切り抜かれた切抜片を備え、
時計バンドの親バンド及び剣先バンドを重ね合わせ、その両端に位置する各エンドピース穴へ、略Ｚ字形をした組み棒の上下平行な差込部をそれぞれ差し込んで一体化された時計バンドに対して、その時計バンドと組み棒との間に切抜片を介在させて、時計バンドを中敷き部材に固定させることを特徴とする請求項３記載の時計バンド収納ケース。
【請求項５】
ケース本体又は張出片にメモリを備えたことを特徴とする請求項１から４のいずれかに記載の時計バンド収納ケース。
【請求項６】
ケース本体の全面又は一部に紫外線防止処理を施したことを特徴とする請求項１から５のいずれかに記載の時計バンド収納ケース。
【請求項７】
ケース本体及び張出片の内側から印刷を施し、外側にその印刷が表示されるようにしたことを特徴とする請求項１から６のいずれかに記載の時計バンド収納ケース。
【考案の詳細な説明】
【技術分野】
【０００１】
本考案は、時計バンドを収納する時計バンド収納ケースに関するものである。
【背景技術】
【０００２】
腕時計を構成する時計バンドは、取替え用として収納ケース（時計バンド収納ケース）に入って、店頭などで販売されている。
特許文献１は、その時計バンド収納ケースに関する先行技術の一例である。
【０００３】
【特許文献１】実公平２−９７３６号公報
【考案の開示】
【考案が解決しようとする課題】
【０００４】
本願考案者らは、これまでにない新規な時計バンド収納ケースを提供すべく、種々工夫をし、本願考案を完成するに至った。
【課題を解決するための手段】
【０００５】
まず、第一の考案は、時計バンドを収納する時計バンド収納ケースにあって、矩形状のケース本体と、そのケース本体正面部の少なくとも一方の側端縁から張り出す張出片とを備え、その張出片がケース本体の側面部に折り畳み可能であることを特徴とするものである。
また、第二の考案は、ケース本体内部の下方に仕切片を設け、その仕切片とケース本体底面部とで仕切られた小スペースを形成したことを特徴とする。
【０００６】
第三の考案は、時計バンドを支持するため、ケース本体内部に板状の中敷き部材を備え、その中敷き部材は、少なくとも一方の側端が略Ｖ字形又は略Ｕ字形に折曲されたことを特徴とする。
また、第四の考案は、中敷き部材が、平坦な中央部分に横Ｌ字形に突出するよう切り抜かれた切抜片を備え、時計バンドの親バンド及び剣先バンドを重ね合わせ、その両端に位置する各エンドピース穴へ、略Ｚ字形をした組み棒の上下平行な差込部をそれぞれ差し込んで一体化された時計バンドに対して、その時計バンドと組み棒との間に切抜片を介在させて、時計バンドを中敷き部材に固定させることを特徴とする。
【０００７】
第五の考案は、ケース本体又は張出片にメモリを備えたことを特徴とし、第六の考案は、ケース本体の全面又は一部に紫外線防止処理を施したことを特徴とする。
また、第七の考案は、ケース本体及び張出片の内側から印刷を施し、外側にその印刷が表示されるようにしたことを特徴とする。
【考案の効果】
【０００８】
本考案によれば、以下のような効果を有する。
（１）時計バンド収納ケースが矩形状のケース本体に張出片を備えることで、その張出片に文字やイラストなどを記載して、看板スペースとして利用できる。そして、吊り下げディスプレイの場合には、この張出片を開き、収納ケース間の間合いを詰めて視覚的なバランスをとることができる。また、トレー置きの場合には、この張出片をケース本体の側面部に折り畳み、コンパクトに詰め置きができる。
（２）時計バンド収納ケースがケース本体内部に小スペースを形成することで、バネ棒などの小物を個別に収納できる。従来はポリ袋などに小物を入れ、それをそのまま時計バンドと同じ収納スペースに収納していた。このため、収納ケースの蓋を開けると脱落・紛失する可能性があったが、小スペースを形成することでこれを防止できる。
【０００９】
（３）時計バンド収納ケースが中敷き部材の少なくとも一方の側端を略Ｖ字形又は略Ｕ字形に折曲することで、その折曲部分に工具などの長物を収納できる。
（４）時計バンド収納ケースが中敷き部材に切抜片を設けることで、収納ケース内の時計バンドを固定することができる。とくに、小サイズの時計バンドは収納ケース内でがたつきやすいが、これによりサイズを問わず、収納ケース内でのがたつきを防止できる。
【００１０】
（５）時計バンド収納ケースがケース本体又は張出片にメモリを備えることで、予め必要な時計バンドのサイズを計測してこなくても、その場でサイズを計測でき、適切なサイズの時計バンドを購入できる。
（６）時計バンド収納ケースがケース本体の全面又は一部に紫外線防止処理を施すことで、収納ケース内に収納されている時計バンドの紫外線による劣化を防止できる。
（７）時計バンド収納ケースがケース本体及び張出片の内側から印刷を施し、外側にその印刷が表示されるようにすることで、ケースが外傷を受けても、印刷に影響を与えない。
【考案を実施するための最良の形態】
【００１１】
本考案の実施形態を図面に基づいて説明する。
図１は、本考案の第一実施形態を示す斜視図である。時計バンド収納ケース（収納ケース）１０は、時計バンド７０を収納する収納ケースである。その収納ケース１０は、時計バンド７０を収納する矩形状のケース本体１１からなり、そのケース本体１１の正面部１２の少なくとも一方の側端縁１３から張り出す張出片２０を備える。その張出片２０は、文字やイラストなどを記載することで、看板スペースとして利用できる。そして、図２に示す第一実施形態の説明図にあるように、張出片２０はケース本体１１の側面部１５に折り畳み可能となっている。こうすることで、収納ケース１０は、吊り下げディスプレイの場合には、この張出片２０を開き、収納ケース１０，１０間の間合いを詰めて視覚的なバランスをとることができる。また、トレー置きの場合には、この張出片２０をケース本体１１の側面部１５に折り畳み、コンパクトに詰め置きができる。
【００１２】
図１に示すように、ケース本体１１の正面部１２の左上にメモリ１４を設けることで、その場で手持ちの腕時計のバンドサイズを計測できる。なお、メモリ１４は、ケース本体１１に限らず、張出片２０に設けてもよい。
また、ケース本体１１の上蓋部１７からは、上方に向けて吊下片２９が設けられている。この吊下片２８に穿孔２９を形成することで、収納ケース１０を吊り下げディスプレイに吊り下げられる。
【００１３】
また、図１の収納ケース１０には、ケース本体１１の内部下方に仕切片３１を設け、その仕切片３１とケース本体１１の底蓋部１８とで仕切られた小スペース３０が形成されている。図３は、その小スペース３０を示した説明図である。仕切片３１は、背面部１６の下端辺３２から延びる折曲片３３からなる（図３（Ａ）））。すなわち、折曲片３３は、下端辺３２の方向に２カ所折り目３４，３５を備える。そして、折曲片３３をケース本体１１の内側へ折り曲げて、折り目３４が背面部１６に、折り目３５が正面部１２にそれぞれ当接することで、折曲片３３が仕切片３１を形成することになる（図３（Ｂ）））。こうして形成された小スペース３０には、バネ棒８０などの小物を個別に収納できる。
【００１４】
図４は、本考案の第二実施形態を示す説明図である。第二実施形態では、ケース本体１１内部に板状の中敷き部材４０を備える。中敷き部材４０は、板状部材４１に側端４２，４２が略Ｖ字形に折曲されている。
【００１５】
図５は、上蓋部１７を展開した状態での中敷き部材４０を組み込んだ収納ケース１０の説明図である。側端４２，４２を略Ｖ字形に折曲した折曲部４３，４３には、長手方向にスペース４４，４４が形成される。この長手スペース４４には、工具４５などの長物を収納することができる。
なお、中敷き部材４０の折曲部４３は、工具などの長物を収納することができればよいので、略Ｖ字形に限らず、略Ｕ字形、略コ字形その他これに類する形状となっていればよい。
【００１６】
図６〜図８は、本考案の第三実施形態を示すものである。
第三実施形態は、第二実施形態と同様に中敷き部材４０を使用するものである。
図６に示す第三実施形態の説明用分解図にあるように、第三実施形態の中敷き部材４０は、平坦な中央部分４６に横Ｌ字形に突出するよう切り抜かれた切抜片４７，４７を備える。一方、時計バンド７０の親バンド７１及び剣先バンド７３を重ね合わせ、その両端に位置する各エンドピース穴７２，７４へ、略Ｚ字形をした組み棒５０の上下平行な差込部５１，５２をそれぞれ差し込んで、時計バンド７０を一体化させる。
【００１７】
そして、図７に示すように、組み棒５０を中敷き部材４０の切抜片４７，４７に差し込む。すると、図８に示すように、時計バンド７０と組み棒５０との間に切抜片４７が介在し、時計バンド７０を中敷き部材４０に固定させることができる。
【００１８】
図示できないが、本考案のその他の実施形態として、ケース本体１１の全面又は一部に紫外線防止処理を施してもよい。収納ケース内に収納されている時計バンド７０の紫外線による劣化を防止できるからである。
また、ケース本体１１及び張出片２０の内側から印刷を施し、外側にその印刷が表示されるようにしてもよい。収納ケース１０が外傷を受けても、印刷の剥がれ落ちなどを防止し印刷に影響を与えないからである。
【産業上の利用可能性】
【００１９】
本考案は、時計バンドを収納する時計バンド収納ケースとして利用され、時計バンドは皮革製・樹脂製・金属製などあらゆる種類のものを収納することに利用できる。
【図面の簡単な説明】
【００２０】
【図１】第一実施形態を示す斜視図。
【図２】第一実施形態の説明図。
【図３】小スペースを示した説明図。
【図４】第二実施形態を示す説明図。
【図５】上蓋部を展開した状態での中敷き部材を組み込んだ収納ケースの説明図。
【図６】第三実施形態を示す説明用分解図。
【図７】第三実施形態を示す説明図。
【図８】第三実施形態を示す説明図。
【符号の説明】
【００２１】
１０  時計バンド収納ケース（収納ケース）
１１  ケース本体      １２  正面部
１３  正面部の側端縁  １４  メモリ
１５  側面部          １６  背面部
１７  上蓋部          １８  底蓋部
２０  張出片
２８  吊下片          ２９  穿孔
３０  小スペース      ３１  仕切片
３２  下端辺          ３３  折曲片
４０  中敷き部材      ４１  板状部材
４２  側端            ４３  折曲部
４４  長手スペース    ４５  工具
４６  中央部分        ４７  切抜片
５０  組み棒          ５１，５２  差込部
７０  時計バンド      ７１  親バンド
７２，７４  エンドピース穴
７３  剣先バンド      ８０  バネ棒
【図１】
0003102609.tif 000003
【図２】
0003102609.tif 000004
【図３】
0003102609.tif 000005
【図４】
0003102609.tif 000006
【図５】
0003102609.tif 000007
【図６】
0003102609.tif 000008
【図７】
0003102609.tif 000009
【図８】
0003102609.tif 000010